(57)【要約】【課題】本発明は、コードをなくして片手のみで把持しながらつぼの探索を可能にし、かつ把持した片手の指先によっても感度の切換を可能にして、つぼ探索を簡単に行い得るようにしたコードレスつぼ探索器に関するものである。【解決手段】本発明のコードレスつぼ探索器は、ペン型ハウジングを構成する電気不導体の本体に取り付けた電池及び導線と、電気良導体の先端ハウジング部内に設置され、前記導線と接続した探索子と、先端ハウジング部から構成した不関電極とからなる一対の電極との間に電流感知装置を介在させ、かつ前記一対の電極をペン型ハウジングの先端ハウジング部の、外径約２ｍｍの径内に置くことにより、一対の電極を極めて近く配置してコードを使用せず、かつ高電圧、高容量の電池を使用することなく作動可能とし、使用・携行の便宜を図ることができるようにしたことを特徴とする。【選択図】図１
2017131287.tif 000002
【特許請求の範囲】
【請求項１】
ペン型ハウジングを構成する電気不導体の本体に取り付けた電池及び導線と、電気良導体の先端ハウジング部内に設置され、前記導線と接続した探索子と、先端ハウジング部から構成した不関電極とからなる一対の電極との間に電流感知装置を介在させ、かつ前記一対の電極をペン型ハウジングの先端ハウジング部の、外径約２ｍｍの径内に置くことにより、一対の電極を極めて近く配置してコードを使用せず、かつ高電圧、高容量の電池を使用することなく作動可能とし、使用・携行の便宜を図ることができるようにしたことを特徴とするコードレスつぼ探索器。
【請求項２】
前記探索子と不関電極とからなる一対の電極の間に直線型のバリオームを配置するに際し、直線型のバリオームを電気不導体の本体の側面に配置して、バリオームの容積を著しく低減させることを可能とし、よって使用・携行の便宜を図ることができるようにしたことを特徴とする請求項１に記載のコードレスつぼ探索器。
【発明の詳細な説明】
【技術分野】
【０００１】
本発明は、生体に電圧を与えた時、生体のつぼの位置に流れる電流が他のつぼ以外の位置に流れる電流よりも大きいこと、即ち、つぼ部分の電気抵抗が小さいこと、を利用して生体のつぼを探索するコードレスつぼ探索器に関するものである。
【背景技術】
【０００２】
つぼは周囲の皮膚となんらかの異なった点があり、その一つに電気抵抗が低いことがある。つぼ探索器はほとんどすべてこの性質を利用して皮膚の電気抵抗の低いところを探すものであり、本発明の原理も同様である。
従来のつぼ探索器は全て、不関電極、探索子、電流計又は電流感知装置からなり、不関電極を患者の手に握らせ、探索子端部を患者の皮膚に当てて、電流計等によって皮膚電気抵抗の低いところを探すものである。この場合、これらの部品を接続するためのコードが必要となる。
すなわち、従来もコードの無い探索器もあったが、それらはすべて患者自身が手に持って自分のつぼを探す目的のものであり、鍼灸施術者が患者のつぼを探すものにはコードの無いものは存在しなかった。
【０００３】
ところで鍼治療のため従来のつぼ探索器は、不関電極、探索子、電流計をそれぞれコードで電気接続したものであるが、実用上このコードが邪魔になることが多く、携帯にも不便で断線による故障のもとにもなる。この欠点を解消したものが本発明である。
【先行技術文献】
【特許文献】
【０００４】
【特許文献１】特開昭５９−２２５５１号公報
【特許文献２】特開平９−２３４２３５号公報
【特許文献３】特許第３０５６２３８号公報
【特許文献４】実開昭５０−１５８４９３号公報
【特許文献５】実開昭５５−１８０４２８号公報
【特許文献６】実開昭５７−１０７５３３号公報
【特許文献７】実開昭５７−１０７５３４号公報
【特許文献８】実開昭６３−７１００５号公報
【発明の概要】
【発明が解決しようとする課題】
【０００５】
従来のペンシル型つぼ探索器では、握り電極とペンシル型の探索棒の先端電極とが本体から出された二本のコードにおける各先端に接続されたものからなり、一方の手に握り電極を握り、他方施術者の手で持った探索器先端の電極を皮膚に当ててつぼを探索し、この探索中に、本体に装備した電流計、音響器、又は小電球の発光灯等の電流感知装置に生ずる変化を監視しながらつぼの位置を確定していた。
なお、皮膚電流抵抗は部位により異なり個人差もあるので、探索中本体に設置されたバリオームで感度を調節することが多い。
【０００６】
本発明のコードレスつぼ探索器は探索子と不関電極とを極めて近い場所（機器の探索子の先端）に置くことによってコードを不要としたものである。すなわち、外径２ｍｍ程度の先端に一対の電極をおくことによってコードを不要としたもので、両極が極めて近いので、高電圧、高容量の特殊な電池を使用する必要がなく、入手容易で安価な通常の単３又は単４乾電池を使用することができる。
【課題を解決するための手段】
【０００７】
前記目的を達成するために本発明のコードレスつぼ探索器は、ペン型ハウジングを構成する電気不導体の本体に取り付けた電池及び導線と、電気良導体の先端ハウジング部内に設置され、前記導線と接続した探索子と、先端ハウジング部から構成した不関電極とからなる一対の電極との間に電流感知装置を介在させ、かつ前記一対の電極をペン型ハウジングの先端ハウジング部の、外径約２ｍｍの径内に置くことにより、一対の電極を極めて近く配置してコードを使用せず、かつ高電圧、高容量の電池を使用することなく作動可能とし、使用・携行の便宜を図ることができるようにしたことを特徴とするものである。
【０００８】
また本発明のコードレスつぼ探索器においては、前記探索子と不関電極とからなる一対の電極の間に直線型のバリオームを配置するに際し、直線型のバリオームを電気不導体の本体の側面に配置して、バリオームの容積を著しく低減させることを可能とし、よって使用・携行の便宜を図ることができるようにしたことをも特徴とするものである。
【発明の効果】
【０００９】
以上の説明から理解できるように、本発明のコードレスつぼ探索器は電気不導体の本体、及び先端に設置した一方の電極である探索子と、本体の端部に取り付けた電気良導体からなる先端ハウジング部に設置した不関電極とで形成し、この形成された本体内に電池、配線等を収納し、筒形本体の先端部分に設置した先端ハウジング部の空間に電流感知装置を収納するように構成したものであり、小型かつ軽量となり、コードのねじ切れ等の心配がなく、いつでもどこでも簡単につぼを探索することができ、かつ低コストで提供することができる等の優れた効果が備えられている。
【図面の簡単な説明】
【００１０】
【図１】本発明のペンシル型のコードレスつぼ探索器の断面図である。
【図２】（ａ）はハウジングの側面に取り付けたバリオームを示す概略図、（ｂ）はバリオームの概略拡大断面図、（ｃ）はその概略拡大斜視図である。
【図３】（ａ）はバリオームの抵抗を最大とした概略図、（ｂ）はバリオームの抵抗を最小とした概略図である。
【図４】（ａ）は鍼治療の際に使われる鍼管を説明するための概略断面図、（ｂ）はその先端の端面図である。
【発明を実施するための形態】
【００１１】
以下、本発明のコードレスつぼ探索器に係る実施の形態を図面に基いて詳細に説明する。
図１はコードレスつぼ探索器の断面図であり、電気不導体、例えばプラスチックからなる筒状の本体１０を備え、該本体１０の先端部には先端が先細りのペン型の金属製先端ハウジング部１１が取り付けられている。この先端ハウジング部１１はネジ構造によって本体１０と接続されていて取り外し可能である。
また、前記先端ハウジング部１１内には電流感知用のブザーおよび小型電球が格納されていて一端は探索子、他端は電池陽極と接続されている。この両者は並列に接続され、一端は隔壁の孔を通して電池陽極受けに接続し、他端は探索子となる先端部を通り、この部分は絶縁体よりなる保持部Ｂによって固定される。
探索子１２の配線は分岐されて一方の配線１２ａは電流感知用のブザーＡを介して本体１０と、他方の配線１２ｂは小型電球Ｌ等を介して探索子１２と接続されている。また探索子１２の他端はバネ付きの金属棒となっていて本体１０内の電池陽極と接続するようになっている。
前記本体１０内には前記探索子１２と電気的に接続した状態で単三乾電池１４，１４を収納し、バネ１５ａを介して後端に取り付けた金属製の蝶番で開閉する金属製の蓋１５で閉鎖してある。
【００１２】
前記先端ハウジング部１１および探索子１２からなる一対の電極は、先端を細くした先端ハウジング部１１先端の、外径約２ｍｍの径内に置かれる。そして、このように一対の電極を極めて近く配置することによって高電圧、高容量の電池を使用する必要がなくなり、使用・携行の便宜を図ることができるようにしたものである。
前記本体１０とその先端部の先端ハウジング部１１の境界は絶縁体でできた隔壁で連結されていて、この隔壁の中央には電池の陽極支え壁と電流感知装置をバネで接続させるための通路となる孔、及び本体１０内側を通り陰極と連結する導線の通路が設けてある。
なお、図４（ａ），（ｂ）に示すように、鍼治療の際に使われる鍼管１０１の内径は２．５ｍｍであって、刺鍼の際には鍼１０２の先端がその範囲内のどこに当たるかは予測できないが、これでも十分実用的である。したがって、本発明の機器を使用してつぼがこの径約２ｍｍの点の中にあることがわかれば、つぼが探子部、外側輪の不関電極部のいずれにあっても実用上はほとんど差支えない。
また、探子部と外側輪の両方がつぼに当たっている可能性も高く、その場合は一層強い電流が流れることになり、探索に著しく便利である。
【００１３】
図１において先端ハウジング部１１の内部にはブザーＡと小型電球Ｌが内蔵されており、先端の探索子１２がつぼに当たり、電流が流れるとブザーＡと小型電球Ｌによって通電したことがわかり、この点灯を確認するために先端ハウジング部１１の壁面には窓２１が穿設されている。
また２２は、前記本体１０先端を保護するために取り付けたキャップである。
【００１４】
ここで、図２及び図３に基いてコードレスつぼ探索器に使用される直線型バリオーム３１を説明する。
図２（ａ）において、直線型バリオーム３１は前記本体１０の壁面に直線状に取り付けられている。そしてこの直線型バリオーム３１のカーソル３２をスライドさせることにより、前記電気不導体である本体１０に設けた端子ア、端子イ間の抵抗を変えることができ、つぼ探索子の感度を調整することができる。また前記カーソル３２の具体例を示す図２（ｂ）及び図２（ｃ）において、該カーソル３２内には電気良導体からなる導通ロール３３が回転可能に軸着してあり、カーソル３２はスムーズに移動させることができる。
すなわち、電気良導体の端子アと、抵抗体からなる端子イとを平行にセットし、両者の間を導通させる導通ロール３３を内蔵したカーソル３２をスライド可能にセットしてある。
【００１５】
図３（ａ）は、直線型バリオーム３１が所定位置にセットされており、つぼ探索の準備がなされた状態である。この準備状態においては、コードレスつぼ探索器における本体１０と探索子１２とが生体における手とつぼの探索部位とを介して短絡されても、電気不導体の端部の上に導通ロール３３が接触していて全く導通しないのでブザーＡは鳴らず、小型電球Ｌは点灯することがない。しかしながら、直線型バリオーム３１を徐々にスライドさせると端子ア、端子イ間の抵抗が小さくなって導通が図られ、探索可能となる。図３（ｂ）は抵抗が最少となった状態を示す。
患者には個人差があり、つぼの電気抵抗も均一ではないため、直線型バリオーム３１をスライドさせて最適の感度を得ることができる位置に調整することが望ましい。
電気的導通状態においてはブザーＡが鳴り，小型電球Ｌは点灯するが、電池の消耗を防止するために使用終了時には電気的な導通を切っておくことが望ましい。
【産業上の利用可能性】
【００１６】
以上の説明から理解できるように、本発明のコードレスつぼ探索器は、一方の電極である探索子と筒状の本体の端部に取り付けた電気良導体の先端ハウジング部からなる不関電極とで構成したものであり、小型かつ軽量となって使用しやすく、かつコードが無いので取扱いが容易でコードの断線等の心配がなく、いつでもどこでも簡単につぼを探索することができ、かつ低コストで提供することができる等の優れた効果が達成される。
【符号の説明】
【００１７】
１０  本体
１１  先端ハウジング部
１２  探索子
１２ａ，１２ｂ  配線
１３  保持部
１４，１４  電池
１５  蓋
１５ａ  バネ
２１  窓
２２  キャップ
３１  直線型バリオーム
３２  カーソル
３３  導通ロール
１０１  鍼管
１０２  鍼
Ａ  ブザー
Ｂ  保持部
Ｌ  小型電球
ア、イ  端子
【図１】
2017131287.tif 000003
【図２】
2017131287.tif 000004
【図３】
2017131287.tif 000005
【図４】
2017131287.tif 000006